(57)【要約】【課題】  本発明は、穀物乾燥機の各種運転情報を遠隔位置からでも適切に表示し、穀物乾燥機の良好な管理を可能とする穀物乾燥機の遠隔管理システムを提供することを課題とする。【解決手段】  穀物乾燥機（２）の制御部（２ａ）と遠隔通信接続によって穀物乾燥機（２）の運転情報を受ける携帯端末器（３）と、を備え、穀物乾燥機に燃料流量計を設け、該燃料流量計で検出した流量データを携帯端末器（３）に送信し、携帯端末器（３）には、穀物乾燥機で乾燥した籾の重量データと、籾すり後の仕上がり玄米量データと、屑米量データと、燃料使用量データとの乾燥データ表示を圃場毎のデータとして画面表示可能とする共に、該圃場毎の反収情報を演算表示する収量分析表示を画面表示し、前記乾燥データ表示と収量分析表示を共通の画面に表示可能とすることを特徴とする穀物乾燥機の遠隔管理システムとする。【選択図】  図７
2020056569.tif 000002
【特許請求の範囲】
【請求項１】
穀物乾燥機（２）の制御部（２ａ）と遠隔通信接続によって穀物乾燥機（２）の運転情報を受ける携帯端末器（３）と、を備え、
穀物乾燥機に燃料流量計を設け、該燃料流量計で検出した流量データを携帯端末器（３）に送信し、
携帯端末器（３）には、穀物乾燥機で乾燥した籾の重量データと、籾すり後の仕上がり玄米量データと、屑米量データと、燃料使用量データとの乾燥データ表示を圃場毎のデータとして画面表示可能とする共に、
該圃場毎の反収情報を演算表示する収量分析表示を画面表示し、
前記乾燥データ表示と収量分析表示を共通の画面に表示可能とすることを特徴とする穀物乾燥機の遠隔管理システム。
【請求項２】
携帯端末器（３）は、トップ画面で乾燥作業の進行状況を表示する作業管理画面と、運転中の情報を表示する乾燥運転後の収量を表示する生産管理画面と、穀物乾燥機（２）の制御部へ基礎情報を入力するためのマスター登録画面と、乾燥機の稼働状況をイベント発生のタイミングで表示するデータ管理画面と、に選択可能に構成することを特徴とする請求項１記載の穀物乾燥機の遠隔管理システム。
【請求項３】
燃料消費量は、作業管理画面においては、日毎の累計消費量を表示可能とし、生産管理画面では、圃場毎の燃料使用量データを表示可能とする請求項２記載の穀物乾燥機の遠隔管理システム。
【請求項４】
携帯端末器（３）からユーザの携帯端末にメールを発信可能に構成し、
メールは、複数の穀物乾燥機それぞれの乾燥運転の正常情報を送信する場合と、異常情報を送信する場合とがあり、正常情報は設定時間毎に送信し、異常情報は異常発生時に送信し、異常情報の送信は正常情報に対して優先して送信することを特徴とする請求項１記載〜請求項３何れかに記載の穀物乾燥機の遠隔管理システム。
【請求項５】
正常情報は設定水分値、現在水分値、乾燥残時間を表示項目とし、外気温度、熱風温度、排風温度、水分バラつき、燃料積算使用料を選択して追加表示可能に構成することを特徴とする請求項４記載の穀物乾燥機の遠隔管理システム。
【発明の詳細な説明】
【技術分野】
【０００１】
本発明は、穀物の乾燥処理を運転制御する制御部を備える穀物乾燥機に関するものである。
【背景技術】
【０００２】
特許文献１には、管理サーバを通してユーザの携帯端末と穀物乾燥機とを接続することにより、携帯端末から穀物乾燥機を遠隔制御する技術が開示されている。
【先行技術文献】
【特許文献】
【０００３】
【特許文献１】特開２００２−２６７３６３号公報
【発明の概要】
【発明が解決しようとする課題】
【０００４】
しかしながら、穀物乾燥機の運転状況や、運転終了後における運転履歴等を携帯端末に表示することができないという問題があった。
【０００５】
本発明は、穀物乾燥機の各種運転情報を遠隔位置からでも適切に表示し、穀物乾燥機の良好な管理を可能とする穀物乾燥機の遠隔管理システムを提供することにある。
【課題を解決するための手段】
【０００６】
請求項１に係る発明は、
穀物乾燥機（２）の制御部（２ａ）と遠隔通信接続によって穀物乾燥機（２）の運転情報を受ける携帯端末器（３）と、を備え、
穀物乾燥機に燃料流量計を設け、該燃料流量計で検出した流量データを携帯端末器（３）に送信し、
携帯端末器（３）には、穀物乾燥機で乾燥した籾の重量データと、籾すり後の仕上がり玄米量データと、屑米量データと、燃料使用量データとの乾燥データ表示を圃場毎のデータとして画面表示可能とする共に、
該圃場毎の反収情報を演算表示する収量分析表示を画面表示し、
前記乾燥データ表示と収量分析表示を共通の画面に表示可能とすることを特徴とする穀物乾燥機の遠隔管理システムとする。
【０００７】
請求項２に係る発明は、請求項１に係る発明において、
携帯端末器（３）は、トップ画面で乾燥作業の進行状況を表示する作業管理画面と、運転中の情報を表示する乾燥運転後の収量を表示する生産管理画面と、穀物乾燥機（２）の制御部へ基礎情報を入力するためのマスター登録画面と、乾燥機の稼働状況をイベント発生のタイミングで表示するデータ管理画面と、に選択可能に構成することを特徴とする請求項１記載の穀物乾燥機の遠隔管理システムとする。
【０００８】
請求項３に係る発明は、請求項２に係る発明において、
燃料消費量は、作業管理画面においては、日毎の累計消費量を表示可能とし、生産管理画面では、圃場毎の燃料使用量データを表示可能とする請求項２記載の穀物乾燥機の遠隔管理システム。
【０００９】
請求項４に係る発明は、請求項１から請求項３のいずれかに係る発明において、携帯端末器（３）からユーザの携帯端末にメールを発信可能に構成し、
メールは、複数の穀物乾燥機それぞれの乾燥運転の正常情報を送信する場合と、異常情報を送信する場合とがあり、正常情報は設定時間毎に送信し、異常情報は異常発生時に送信し、異常情報の送信は正常情報に対して優先して送信することを特徴とする請求項１記載〜請求項３何れかに記載の穀物乾燥機の遠隔管理システムことを特徴とする。
【００１０】
請求項５に係る発明は、請求項４に係る発明において、
正常情報は設定水分値、現在水分値、乾燥残時間を表示項目とし、外気温度、熱風温度、排風温度、水分バラつき、燃料積算使用料を選択して追加表示可能に構成することを特徴とする請求項４記載の穀物乾燥機の遠隔管理システム。
【発明の効果】
【００１１】
本発明により、
複数の穀物乾燥機の運転情報を単一の携帯端末で圃場毎の反収管理を可能とすることができる。
【００１２】
また、圃場毎の収益性を管理することができる。
【００１３】
また、籾・玄米・くず米の重量を一元化して表示ができる。
【００１４】
また、乾燥運転に要した使用経費を日報形式で表示できる。
【００１５】
また、穀物処理状況、運転履歴、異常関連の情報等の必要な情報を端末操作によって随時知ることができるので、並行する作業や後に続く作業の調整を図りつつ、長時間に及ぶ穀物乾燥機の運転管理や保守対応が可能となる。
【図面の簡単な説明】
【００１６】
【図１】穀物乾燥機遠隔管理システムのシステム構成図
【図２】システムの適用による作業態様例
【図３】通信接続例（ａ）と異常対応の端末表示画面例（ｂ）
【図４】工程管理表示例（ａ）（ｂ）
【図５】燃費管理表示例（ａ）（ｂ）
【図６】水分経過表示例
【図７】収量分析表示例
【図８】乾燥機サポートシステムのトップ画面の構成図
【図９】チェックモード設定の画面構成図
【図１０】作業実績一覧表の画面構成図
【図１１】作業実績一覧表の絞り込み結果の画面構成図
【図１２】稼働データ管理画面
【図１３】稼働詳細データの画面構成図
【図１４】稼働データグラフ表示の画面構成図
【図１５】作業別時間表示（１）の画面構成図
【図１６】作業別時間表示（２）の画面構成図
【図１７】水分変化の画面構成図
【図１８】水分バラつきの画面構成図
【図１９】燃料消費グラフの画面構成図
【図２０】燃料消費集計グラフの画面構成図
【図２１】乾燥稼働集計の画面構成図
【図２２】収量及び歩留り表示の画面構成図
【図２３】異常表示の画面構成図
【図２４】異常表示詳細の画面構成図
【図２５】メンテナンス画面
【図２６】メンテナンス履歴一覧表の画面構成図
【図２７】お知らせメールの画面構成図
【発明を実施するための形態】
【００１７】
上記技術思想に基づいて具体的に構成された実施の形態について以下に図面を参照しつつ説明する。
【００１８】
穀物乾燥機の遠隔管理システム１は、システム構成図を図１に示すように、複数（図例は５）の穀物乾燥機２…と、そのすべてに共通して遠隔通信接続可能なタブレット端末器３とによって構成する。
【００１９】
各穀物乾燥機２…は、穀物の張込から、通風、乾燥を経て、排出までの各工程を運転制御する制御部２ａを備え、その運転制御情報を通信出力可能に構成する。
【００２０】
タブレット端末器３は、入出力用のタッチパネルディスプレー３ａを備えるとともに、音声を含む通信機能付きの携帯型情報端末器によって構成する。
【００２１】
穀物乾燥機２とタブレット端末器３との間の通信は、例えば、デジタル機器用の近距離無線通信規格の1つであるブルートゥース（登録商標）を適用し、１台のタブレット端末器３について複数の穀物乾燥機２…と個別通信可能に構成する。
【００２２】
また、管理対象範囲の複数の穀物乾燥機２…を１台のタブレット端末器３でモニターするために、それぞれの通信接続を一定時間（例えば５分）毎に切換えて管理対象範囲の複数の穀物乾燥機２…のそれぞれの運転情報を受ける。
【００２３】
各穀物乾燥機２の運転情報は、穀物の張込から通風、乾燥を経て排出までの一連の工程について、運転制御によって処理された穀物の状態を表す穀物処理情報と、運転経過を表す運転制御の履歴情報および運転中に検出された異常情報とを含む。これら各種の運転情報は、上記携帯端末器３の操作に応じて同携帯端末器３に選択表示可能に構成することにより、必要な情報を随時知ることができ、並行する作業や後に続く作業の調整を図りつつ、長時間に及ぶ各穀物乾燥機２…の運転管理や保守対応が可能となる。
【００２４】
また、穀物乾燥機２が正常運転の範囲において、それぞれの稼働状況を定期的（任意設定可能、デフォルト３０分）に携帯端末器３にテキストで送信する。送信データは、乾燥機場外気温、熱風温度、熱風設定温度、排風温度、穀物水分値、仕上がり水分値、予想残時間、である旨の稼働状況の中の最低２項目を含める。
【００２５】
上記送信データにより、システムの適用による作業態様例を図２に示すように、遠隔位置４で並行作業中の利用者において、無人運転の各穀物乾燥機２の正常稼働を確認しつつ、安心して作業することができる。
【００２６】
また、穀物乾燥機２の異常発生時は、異常の穀物乾燥機２-nと携帯端末器３を通信接続し、エラー情報を送信して関連の解決策を電子データとして携帯端末器３に保管し、図３（ａ）の通信接続の端末画面例に示すエラー箇所の図示、ＭtoＭによる解決策の絞込み、図３（ｂ）の端末画面例に示す取扱説明書やワークショップのエラー処理関連項目の表示、エラー情報に関する情報のダウンロード（ディーラモード）等の手段を備えたエラー処理支援システムを組み込むことにより、ユーザ、ディーラに対して異常処理対応（後述）を支援することができる。
【００２７】
穀物乾燥作業については、図４の工程管理表示例（ａ）に示すように、乾燥機の稼働時間を工程区分による作業別にデータ管理し、また、工程管理表示例（ｂ）に示すように、１乾燥における作業時間を日時毎に表示し、稼働時間から概算電力量を算出し、時間とともに電力量または電気代を作業別に管理することにより、作業内容を日報形式で表示、保管ができることから、営農経営のサポートのための基礎となりうるものである。
【００２８】
穀物乾燥機２の燃料消費については、穀物乾燥機２に燃料流量計を設けて流量データを携帯端末器３に送信し、時間当たりの燃費、１乾燥当たりの燃料使用量データの蓄積と表示を行う。例えば、図５の２４時間表示の燃費経過（ａ）および日ごとの累計消費量（ｂ）の表示のように、使用経費を日報形式で表示、保管することができる。
【００２９】
穀物の乾燥状況については、図６の水分のバラつきデータを携帯端末器３に取込み、１時間間隔の経過表示例に示すように、バラつきの時系列表示（詳細は後述）によって、乾燥時のサポートを行う。このバラつきデータの偏差値からバラつきを数値化して表示し、数値管理しながら乾燥速度、休止乾燥などアドバイスを行う。このようにして、バラつきの推移をビジュアル的に把握可能とし、もち米、酒米等のシビアな乾燥のサポートが可能となる。
【００３０】
乾燥仕上り後の穀物については、穀物乾燥機２の張込量センサの計測値と水分データから刈取り概算重量を把握してデータ化し、また、排出時に測定する張込量センサから仕上り乾籾重量を把握してデータ化する。さらに、籾すり後の仕上り玄米量、くず米量を把握して携帯端末器３に入力することにより、図７の収量分析表示例に示すように、圃場毎の反収管理、所要経費を管理して収益性を判断することができる。なお、上記同様にして、穀物乾燥機２内の循環穀物水分の層ムラを表示、保管することによるサポートも可能である。
【００３１】
穀物乾燥機２の乾燥データについては、携帯端末器３に取込んだ上で外部クラウド内に保管する。このデータは穀物乾燥機２の持つ時計に合わせたデータとして以下の内容、すなわち、張込量（設定値で可）、穀物種類、乾燥速度設定、水分設定、上記各補正値、熱風温度、排風温度、外気温度、燃料流量を取込む。
【００３２】
乾燥データを上記のように取扱うことにより、穀物乾燥機２の火災トラブルに際して、トラブルの原因把握を困難にするデータ欠損を回避してデータ解析に使用することができるのみならず、その乾燥データを合わせた色々な条件下の乾燥データによって次の穀物乾燥機の技術開発の短縮化を図ることができる。
【００３３】
（乾燥機サポートシステム）
次に、上述の穀物乾燥機の遠隔管理システム１を含む乾燥機サポートシステムの全体構成について、携帯端末器３の表示画面別に説明する。
【００３４】
乾燥機サポートシステムは、そのトップ画面（画面区分「０」）を図８に示すように、８つの選択キー、すなわち、「マスター登録」「表示補助」「作業管理」「データ管理」「生産管理」「異常対応」「メンテナンス」「システム設定」のキー（キー区分「１」〜「８」）から選択可能な機能項目によって構成する。
【００３５】
「マスター登録」（キー区分「１」）は基礎情報の入力を可能にし、「表示補助」（キー区分「２」）は乾燥機コントローラの表示部の拡大表示による乾燥機コントローラの操作を可能にし、「作業管理」（キー区分「３」）は作業状況が一目でわかるように、乾燥機の稼働状況をイベント発生のタイミングで表示し、「データ管理」（キー区分「４」）は乾燥機コントローラの把握しているデータを表示し、「生産管理」（キー区分「５」）は作業した重量歩留りを管理し、「異常対応」（キー区分「６」）は異常情報および解決へのアドバイスを表示し、「メンテナンス」（キー区分「７」）は消耗品・補修品の一覧によって交換時期を表示（取説・ＷＳに時間要素を追加し自動化）し、「システム設定」（キー区分「８」）はシステムの設定値を表示する。
【００３６】
（表示補助）
上記機能項目について具体的に説明すると以下のとおりである。
【００３７】
まず、トップ画面（画面区分「０」）の「表示補助」（キー区分「２」）を選択することにより、チェックモード選択の画面構成図（画面区分「２−Ａ」）を図９に示すように、乾燥機コントローラに搭載している液晶モニタと同期して同じ内容を携帯端末器３に表示し、タブレット上のタッチ機能により設定入力の代行操作を可能とする。
【００３８】
（作業管理）
また、トップ画面（画面区分「０」）の「作業管理」（キー区分「３」）を選択することにより、作業実績一覧表示の画面構成図（画面区分「３−Ａ」）を図１０に示すように、イベント発生時の作業データを記録する。基本的にユーザ設定内容や自動停止時の時間とイベント内容を記録する。イベント内容とは、穀物設定、張込量、水分設定、乾燥速度、乾燥モードのほかエラー等変更でその内容を稼働状況説明でイベント発生の年月日、曜日、時間の時系列で表示する。問題点の把握、ディーラの癖が判る。
【００３９】
また、集計対象の絞り込みについては、上記作業実績一覧表の「絞り込み」欄の「全て」（キー区分「(1)」）を対象とした上記図例のほかに、作業実績一覧表の絞り込み結果表示の画面構成図（画面区分「３−Ａ-(1)」）を図１１に示すように、エラー履歴として、作業実績一覧表のエラー一覧表のみ表示でき、このエラー履歴により、この機械における問題点の多発状況が判断できる。
【００４０】
そのほか、作業実績一覧表（画面区分「３−Ａ」）の「絞り込み」について、適用穀物別を絞り込むと、穀物設定で指定する穀物の乾燥履歴を表示できる。
【００４１】
（データ管理）
また、トップ画面（画面区分「００５１」）の「データ管理」（キー区分「４」）を選択することにより、稼働データ管理画面（画面区分「４−Ａ」）を図１２に示すように、９つの管理項目の選択キー、すなわち、「稼働データ一覧表」「稼働データグラフ」「作業時間別グラフ」「作業時間集計」「水分変化」「水分バラつき」「燃料消費」「燃料消費集計」「乾燥稼働集計」のキー（キー区分(1)〜(9)）から選択可能に構成する。
【００４２】
「稼働データ一覧表」（キー区分(1)）は乾燥機の起動から排出完了までの乾燥機の持つデータの一覧表、「稼働データグラフ」（キー区分(2)）は稼働データ一覧表から加工する稼働データのトレンドグラフ、「作業時間別グラフ」（キー区分(3)）は乾燥機の工程別作業時間のグラフ表示、「作業時間集計」（キー区分(4)）は作業別時間表示を1乾燥当たりの小計時間のグラフ表示、「水分変化」（キー区分(5)）は稼働データ一覧表からのトレンドグラフ表示、「水分バラつき」（キー区分(6)）は水分測定結果から、バラつきを時系列のグラフ表示、「燃料消費」（キー区分(7)）は単位時間当たりのデータのグラフ表示、「燃料消費集計」（キー区分(8)）は１乾燥当たりの燃料消費量の集計グラフ表示、「乾燥稼働集計」（キー区分(9)）は乾燥作業１件づつの集計表示である。
【００４３】
上記管理項目について以下に具体的に説明する。
【００４４】
まず、稼働データ管理画面（画面区分「４−Ａ」）の「稼働データ一覧表」（キー区分(1)）を選択することにより、稼働詳細データ表示の画面構成図（画面区分「４−Ａ−(1)」）を図１３に示すように、データは基本１５分毎のショットデータとするが、燃料消費量については乾燥機コントローラで把握している単位時間当たりのデータとし、アップロードキーで外部クラウドに保管できる。このデータは次期開発用資料となることから、不具合発生時の基礎資料とすることによって問題解決がスムースに行える。
【００４５】
また、稼働データ管理画面（画面区分「４−Ａ」）の「稼働データグラフ」（キー区分(2)）を選択することにより、稼働データグラフ表示の画面構成図（画面区分「４−Ａ−(2)」）を図１４に示すように、稼働データ一覧表から加工する稼働データのトレンドグラフであり、表示期間選択内容を表示する。
【００４６】
表示項目は稼働詳細データからチョイスできるように、タブレットのプログラムにより、例えば、「熱風温度」「排風温度」「外気温度」「穀温」「燃料使用量」の表示項目の凡例表をクリックすることによって表示内容を選択できる設定画面を設ける。上記グラフにより、乾燥機工程状況がトレンドグラフで把握できることから、データを収集することで次期開発のための参考資料となる。
【００４７】
また、稼働データ管理画面（画面区分「４−Ａ」）の「作業時間別グラフ」（キー区分(3)）を選択することにより、作業別時間表示（１）の画面構成図（画面区分「４−Ａ−(3)」）を図１５に示すように、乾燥機の工程別作業時間をグラフ表示する。このグラフ表示により、当日の作業内容を判りやすくし、作業日報の替わりとする。
【００４８】
作業工程別項目は、張込み作業、通風/循環作業、乾燥作業、排出作業を単位とし、休止乾燥や断続乾燥モードから休止時間も表現できるグラフであり、グラフの上部には品種、生産者名を表示する。また、乾燥機は当日から翌日にまたがる作業が多いことから、1乾燥について日日またがりのグラフとすることにより、２〜３日放置後の排出も法令の枠線で表現することができる。
【００４９】
また、稼働データ管理画面（画面区分「４−Ａ」）の「作業時間集計」（キー区分(4)）を選択することにより、作業別時間表示（２）の画面構成図（画面区分「４−Ａ−(4)」）を図１６に示すように、作業別時間表示を1乾燥当たりの小計を棒グラフ化することにより、1回の乾燥工程別時間を把握することが可能となる。また、上記グラフと同時に、当年の累積時間及び購入からの累積時間を表形式で表示することにより、累積時間が作業工程別に把握できので、無駄な作業を見つけることができる。
【００５０】
また、稼働データ管理画面（画面区分「４−Ａ」）の「水分変化」（キー区分(5)）を選択することにより、水分変化表示の画面構成図（画面区分「４−Ａ−(5)」）を図１７に示すように、稼働データ一覧表からトレンドグラフを加工し、横軸を時間、縦軸を水分とすることにより、時間経過の水分低下状況をトレンドグラフ（波線）で見ることができる。さらに、設定水分値（水平線）に向けて毎時乾減率の予想線（直線）を引くことにより、終了までの予想時間と乾減率を判り易く表示することができるので、トラブルの際は、その内容を容易に把握することができる。
【００５１】
また、稼働データ管理画面（画面区分「４−Ａ」）の「水分バラつき」（キー区分(6)）を選択することにより、水分バラつき表示の画面構成図（画面区分「４−Ａ−(6)」）を図１８に示すように、水分測定結果から乾燥機コントローラに表示されるバラつきを３０分〜６０分間隔の３画面に表示することにより、水分バラつきの変化を確認でき、バラつきの解消の程度を確認することができる。
【００５２】
特にバラつきは餅籾などの乾燥の際に重要で、乾燥条件等の変更の目安となる。例えば、１４．５％以上の割合を％表示することにより、餅米などの白化率の目安を得ることができ、さらに、バラつきグラフに平均値と設定値の縦線を赤、青に色分けしてビジュアル表示することにより、瞬時の状況判断が可能となる。
【００５３】
また、稼働データ管理画面（画面区分「４−Ａ」）の「燃料消費」（キー区分(7)）を選択することにより、燃料消費グラフ表示の画面構成図（画面区分「４−Ａ−(7)」）を図１９に示すように、乾燥機コントローラで把握している単位時間当たりのデータをグラフ化して時間当たりの燃料消費をトレンドグラフで表示する。
【００５４】
また、燃料タンクの容量を手入力（容量ボタンを押して１０キー入力）することにより、入力量を１００％とし時間経過とともに残量をグラフィックで％表示し、燃料が初期値の２０％未満になると残量表示を青から赤に変更し、例えば、基本容量の容器について貯留深さ範囲の塗色を青から赤に変更して警報表示又は警報ブザーあるいはメール発信可能に構成する。燃料タンクは型式を基準にして入力量を％表示することによっても上記同様に取扱うことができる。
【００５５】
また、稼働データ管理画面（画面区分「４−Ａ」）の「燃料消費集計」（キー区分(8)）を選択することにより、燃料消費集計グラフ表示の画面構成図（画面区分「４−Ａ−(8)」）を図２０に示すように、１乾燥当たりの燃料消費量を集計し、１乾燥を便宜上日当たりとして棒グラフで表示し、また当年の累積消費量を折れ線グラフで表示する。
【００５６】
また、稼働データ管理画面（画面区分「４−Ａ」）の「乾燥稼働集計」（キー区分(9)）を選択することにより、乾燥稼働集計表示の画面構成図（画面区分「４−Ａ−(9)」）を図２１に示すように、１乾燥毎の稼働内容を集計して1行にして表形式で表示する。
【００５７】
（生産管理）
また、トップ画面（画面区分「０」）の「生産管理」（キー区分「５」）を選択することにより、収量及び歩留り表示の画面構成図（画面区分「５−Ａ」）を図２２に示すように、コンバインで収穫された量から籾すり計量終了までの重量、すなわち、刈り取り、乾燥、水・ゴミ、玄米、くず米、もみ殻他の重量を一元化して表示する。
【００５８】
刈り取り（乾燥機の張込）重量は、生重量で張込量設定値（又はオプション張込量センサ）と初期水分から算出される概算重量である。乾燥（後）重量は、上記設定値（又はオプション張込量センサ）とから水分仕上がり水分値換算した重量である。水・ゴミは、張込重量から乾燥後重量を引いた重量である。玄米は籾すり後の実量、くず米は籾すり後の実量、もみ殻他は上記乾燥後重量から玄米、くず米を引いたものである。
【００５９】
（異常対応）
また、トップ画面（画面区分「０」）の「異常対応」（キー区分「６」）を選択することにより、異常表示の画面構成図（画面区分「６−Ａ」）を図２３に示すように、異常発生と同時に異常表示画面となり、エラーコードとエラー名称、及び異常場所（●部）を表示し、更に異常の詳細情報に関するモードとして、取扱説明書（キー区分(1)）、ワークショップマニアル（キー区分(2)）、エラー情報（キー区分(3)）を設ける。エラー情報は、品質情報又は技術情報など出荷後の問題点対応内容等の情報である。
【００６０】
ユーザは取扱説明書のみ閲覧可能に構成する。また、ディーラモードとして、ワークショップ閲覧、エラー情報閲覧を可能に構成する。入力でパスワード化することにより、閲覧規制可能に構成することができる。
【００６１】
また、異常表示（１）の詳細確認項目を選ぶと、異常表示詳細の画面構成図（画面区分「６−Ａ−(2)」）を図２４に示すように、異常対処の詳細を表示する。
【００６２】
「取扱説明書」はユーザ権限、「ワークショップ」（画面区分「６−Ａ−(2)」）はディーラ権限によるパスワード、「エラー情報」は技術流通責任者権限によるパスワードを条件とする閲覧規制を設ける。
【００６３】
「解決しましたか？」の欄の「ＮＯ」を選択すると、「次画面へ移行するか？」のメッセージによって次の解決策の頁に順次移行可能に構成する。
【００６４】
（メンテナンス）
また、トップ画面（画面区分「０」）の「メンテナンス」（キー区分「７」）を選択することにより、メンテナンス画面（画面区分「７」）を図２５に示すように、消耗部品又は交換部品の一覧と各部品の稼働時間を表示する。交換時間（デフォルト値）がくると稼働時間を赤く反転表示し、対象部品を交換後、リセットで現在時間を初期化し、この時点からまた積算を開始する。
【００６５】
「リセット」を押すとパスワード画面を表示し、パスワード入力入力によって操作権限を確認する。
【００６６】
「消耗部品一覧」（項目区分(1)）を押すと文字が反転し、消耗部品を選択する。
【００６７】
「交換部品一覧」（項目区分(2)）を押すと文字が反転し、交換部品を選択する。
【００６８】
「メンテナンス履歴」（項目区分(3)）を押すと、メンテナンス履歴一覧表に移行する。
【００６９】
メンテナンス画面（画面区分「７」）の「メンテナンス履歴」（項目区分(3)）を選択することにより、メンテナンス履歴一覧表の画面構成図（画面区分「７        −(3)」）を図２６に示すように、上記メンテナンス画面（画面区分「７」）によるリセットの入力に応じてメンテナンス履歴一覧表に履歴として追加する。空欄は書き込みが可能で、入力決定により、決定時の情報を記録として確定する。
【００７０】
（お知らせメール）
また、お知らせメールの画面構成図（画面区分「９」）を図２７に示すように、通常定期連絡（ａ）と異常割込み連絡（ｂ）とによる運転現況報知手段を設ける。
【００７１】
通常定期連絡は、定期的（基本１時間に1回、設定変更可能）に、また、異常割込み連絡は、異常発生に対応して、ユーザの携帯端末又はタブレット端末のアドレスにメールを発信する。
【００７２】
メールは以下の内容をテキスト表示する。通常定期連絡は、設定水分、現在水分、乾燥残時間、正常情報を基本項目とし、これに加えてオプション項目として、外気温度、熱風温度、排風温度、水分バラつき、未熟量、乾燥開始からの経過時間、燃料積算使用量を選択により追加表示可能に構成する。異常割込み連絡は、異常発生時のエラーコード、エラー名称、発生時間、現在水分値を定型表示する。
【００７３】
（まとめ）
上記実施形態による穀物乾燥機の遠隔管理システム１は、穀物乾燥機２の張込から通風、乾燥を経て排出までの一連の工程を運転制御する制御部２ａと、この制御部２ａとの遠隔通信接続によって上記運転制御に関する運転情報を受ける携帯端末器３とから構成され、上記運転情報は、上記運転制御に伴う穀物処理情報と、上記運転制御の履歴情報および異常情報とを含み、上記携帯端末器３の操作に応じて、上記運転情報から選択して上記携帯端末器３に表示可能に構成することにより、穀物処理状況、運転履歴、異常関連の情報等の必要な情報を端末操作によって随時知ることができるので、並行する作業や後に続く作業の調整を図りつつ、長時間に及ぶ穀物乾燥機２の運転管理や保守対応が可能となる。
【００７４】
また、上記穀物処理情報には、上記運転制御の経過に応じた穀物水分の分布状態を含めることにより、端末操作によって乾燥対象穀物の水分ムラの収束の程度を把握することができる。
【００７５】
また、上記運転制御の履歴情報には、上記工程別の累積時間の図解表記を含めることにより、端末操作によって表示される工程別の累積時間に基づいて、処理効率の比較検討が可能となる。
【００７６】
また、上記運転制御の履歴情報には、上記工程別の運転経過の図解表記を含めることにより、端末操作によって表示される運転経過の図解表記に基づいて個々の運転状況を把握できるとともに、作業日報として活用することができる。
【００７７】
また、上記携帯端末器３は、複数の穀物乾燥機２…と個別に遠隔通信接続した上で、それぞれの運転制御の履歴情報を並列して表示可能に構成することにより、端末操作によって複数の乾燥機相互の稼働状況の比較検討が可能となる。
【符号の説明】
【００７８】
１    遠隔管理システム
２    穀物乾燥機
２ａ  制御部（乾燥機コントローラ）
３    携帯端末器
【図１】
2020056569.tif 000003
【図２】
2020056569.tif 000004
【図３】
2020056569.tif 000005
【図４】
2020056569.tif 000006
【図５】
2020056569.tif 000007
【図６】
2020056569.tif 000008
【図７】
2020056569.tif 000009
【図８】
2020056569.tif 000010
【図９】
2020056569.tif 000011
【図１０】
2020056569.tif 000012
【図１１】
2020056569.tif 000013
【図１２】
2020056569.tif 000014
【図１３】
2020056569.tif 000015
【図１４】
2020056569.tif 000016
【図１５】
2020056569.tif 000017
【図１６】
2020056569.tif 000018
【図１７】
2020056569.tif 000019
【図１８】
2020056569.tif 000020
【図１９】
2020056569.tif 000021
【図２０】
2020056569.tif 000022
【図２１】
2020056569.tif 000023
【図２２】
2020056569.tif 000024
【図２３】
2020056569.tif 000025
【図２４】
2020056569.tif 000026
【図２５】
2020056569.tif 000027
【図２６】
2020056569.tif 000028
【図２７】
2020056569.tif 000029